(57)【要約】【課題】点灯モードの切替操作が容易な照明器具を提供することを目的とする。【解決手段】複数の点灯モードを記憶し、ＡＣ電源６からの電力の供給が一時的に停止された時間が所定時間範囲内であることを検知すると、前記点灯モードを切り替える制御部５を器具本体２に備える照明器具１であって、前記器具本体２に備える引き紐１５の操作により、前記所定時間範囲内の設定時間ｔ秒、前記制御部５へのＡＣ電源６からの電力の供給を一時的に停止する動作部７を備える。【選択図】図１
2009140807.tif 000002
【特許請求の範囲】
【請求項１】
複数の点灯モードを記憶し、電力の供給が一時的に停止された時間が所定時間範囲内であることを検知すると、前記点灯モードを切り替える制御部を器具本体に備える照明器具であって、
前記器具本体に備える操作手段の操作により、前記所定時間範囲内の設定時間、前記制御部への電力の供給を一時的に停止する動作部を備える、
ことを特徴とする照明器具。
【請求項２】
前記動作部は、前記制御部の入力側に直列接続される通常「閉」の接点と、該接点を開閉制御するリレーと、該リレーを前記設定時間動作させるタイマと、該タイマを動作させる引き紐スイッチとを備え、
前記操作手段は、前記引き紐スイッチを操作する引き紐である、
ことを特徴とする請求項１に記載の照明器具。
【発明の詳細な説明】
【技術分野】
【０００１】
本発明は、複数の点灯モードを記憶し、電力の供給が一時的に停止された時間が所定時間範囲内であることを検知すると、前記点灯モードを切り替える制御部を器具本体に備える照明器具の技術に関する。
【背景技術】
【０００２】
従来、例えば「全灯」、「段調光」、「保安灯」等の複数の点灯モードを記憶し、電力の供給が一時的に停止された時間が所定時間範囲内であることを検知すると、前記点灯モードを切り替える制御部を器具本体に備える照明器具の技術は公知となっている（例えば、特許文献１参照）。
従来の照明器具では、任意の点灯モードで点灯中において、リモコン操作、あるいは壁スイッチの「切」・「入」の操作（以下、適宜「プルレス操作」という。）により、例えば、「全灯」→「段調光」→「保安灯」→「全灯」の順番に点灯モードが切り替わるように構成されている。
【特許文献１】特開２００５−２８５７２５号公報
【発明の開示】
【発明が解決しようとする課題】
【０００３】
しかし、従来の照明器具では、点灯モードを切り替える際にリモコンが手元にない場合、照明器具から離れた位置にある壁スイッチまで行ってプルレス操作しなければならないため、点灯モードの切替操作が面倒である。
【０００４】
本発明は以上の状況に鑑み、点灯モードの切替操作が容易な照明器具を提供することを目的とする。
【課題を解決するための手段】
【０００５】
本発明の解決しようとする課題は以上のとおりであり、次にこの課題を解決するための手段を説明する。
【０００６】
すなわち、請求項１においては、複数の点灯モードを記憶し、電力の供給が一時的に停止された時間が所定時間範囲内であることを検知すると、前記点灯モードを切り替える制御部を器具本体に備える照明器具であって、前記器具本体に備える操作手段の操作により、前記所定時間範囲内の設定時間、前記制御部への電力の供給を一時的に停止する動作部を備えるものである。
【０００７】
請求項２においては、前記動作部は、前記制御部の入力側に直列接続される通常「閉」の接点と、該接点を開閉制御するリレーと、該リレーを前記設定時間動作させるタイマと、該タイマを動作させる引き紐スイッチとを備え、前記操作手段は、前記引き紐スイッチを操作する引き紐であるものである。
【発明の効果】
【０００８】
本発明の効果として、以下に示すような効果を奏する。
【０００９】
請求項１においては、器具本体に備える操作手段により照明器具の近くで点灯モードを切り替えられるため、点灯モードの切替操作が容易である。
【００１０】
請求項２においては、引き紐を引く簡単な操作で確実に点灯モードを切り替えられる。
【発明を実施するための最良の形態】
【００１１】
次に、発明を実施するための最良の形態を説明する。
図１は本発明に係る照明器具の全体図、図２は同じく回路図、図３は同じくシーケンス図、図４は図３のタイムチャート図、図５は本発明に係る照明器具の点灯モードを示した図である。
【００１２】
図１に示すように、照明器具１は、天井１０に取り付けられて使用されるシーリングライトである。照明器具１は、ランプ４を有する器具本体２と、ランプ４を覆うセード３とを備えている。なお、本実施例においては、照明器具としてシーリングライトを例として説明するが、照明器具はシーリングライトに限定するものではない。
【００１３】
器具本体２は、接続器具８と、制御部５と、天井１０下方に垂下する操作手段となる引き紐１５と、引き紐１５が連結された引き紐スイッチ１１を有する動作部７とを備えている。器具本体２は、接続器具８が天井１０に埋め込まれた配線器具９に接続されることによって天井１０に取り付けられるとともに、ＡＣ電源６から電力が供給されるように構成されている。
【００１４】
図２に示すように、器具本体２は、ランプ４を点灯制御する点灯回路１３を備えている。
点灯回路１３は、壁スイッチ１２（メインスイッチ）若しくはリモコン（図示省略）の操作に基づいて、制御部５がランプ４を点灯制御するように構成されている。さらに、点灯回路１３は、引き紐１５の操作（引き紐スイッチ１１の「入」・「切」）により作動する動作部７を介して、制御部５がランプ４を点灯制御するように構成されている。
【００１５】
壁スイッチ１２は、ＡＣ電源６と動作部７との間に直列接続される通常「開」の接点１７を備えている。壁スイッチ１２は、ボタン（図示省略）操作により接点１７が「閉」・「開」して、「入」・「切」されるように構成されている。
【００１６】
制御部５には、ランプ４の複数の点灯モードが記憶されている。この点灯モードは、例えば、「全灯」、「段調光」、「保安灯」により構成される。制御部５は、ＡＣ電源６からの電力の供給が壁スイッチ１２の「切」・「入」の操作（プルレス操作）により一時的に停止された時間が所定時間範囲内（例えば、０．５秒以上３秒以内）であることを検知すると、ランプ４の点灯モードを切り替えるように構成されている。さらに、制御部５は、前記所定時間範囲内の設定時間（以下、ｔ秒とする。）、動作部７によってＡＣ電源６からの電力の供給が一時的に停止されたことを検知すると、ランプ４の点灯モードを切り替えるように構成されている。
【００１７】
図３に示すように、動作部７は、電磁リレーＲ０と、電磁リレーＲ１と、タイマＴと、引き紐スイッチ１１とを備えている。動作部７は、引き紐１５の操作（引き紐スイッチ１１の「入」・「切」）により、タイマＴで設定した時間（ｔ秒間）、ＡＣ電源６から制御部５への電力の供給を一時的に停止するように構成されている。動作部７には、壁スイッチ１２と制御部５との間に設けられた電源回路３０から電力が供給されるように構成されている（図２参照）。
【００１８】
電磁リレーＲ０は、引き紐スイッチ１１の出力側に直列接続される電磁コイル２１と、制御部５の入力側（壁スイッチ１２と制御部５との間）に直列接続される通常「閉」の接点２２とを備えている。電磁リレーＲ０では、電磁コイル２１に電流が流れると接点２２が「開」に動作するように構成されている。
【００１９】
電磁リレーＲ１は、電磁コイル２１に対して並列接続される電磁コイル２３と、引き紐スイッチ１１に対して並列接続される通常「開」の接点２４とを備えている。電磁リレーＲ１では、電磁コイル２３に電流が流れると接点２４が「閉」に動作して自己保持回路１４を形成するように構成されている。
【００２０】
タイマＴは、電磁コイル２１及び電磁コイル２３に対して並列接続される電磁コイル２５と、電磁コイル２３の入力側に直列接続される通常「開」の接点２６と、電磁コイル２１の入力側に直列接続される通常「開」の接点２７とを備えている。タイマＴでは、電磁コイル２５に電流が流れると、接点２６、接点２７が「閉」に動作し、ｔ秒経過後、接点２６、接点２７が自動的に「開」に復帰するように構成されている。
【００２１】
引き紐スイッチ１１は、通常「開」の接点１６と、接点１６を開閉操作する引き紐１５とを備えている。引き紐スイッチ１１は、引き紐１５を引き操作すると接点１６が「閉」に動作し、引き紐１５を離すと「開」に復帰して、「入」・「切」されるように構成されている。
【００２２】
このような構成により、壁スイッチ１２が「入」（接点１７が「閉」）の場合、制御部５は次のようにして動作部７により電力の供給が一時的にｔ秒間停止されたことを検知してランプ４の点灯モードを切り替える。
【００２３】
図３及び図４に示すように、ランプ４が任意の点灯モードで点灯中において、引き紐１５を引き操作すると、接点１６が「閉」に動作して引き紐スイッチ１１が「入」となって、タイマＴに電流が流れる。
【００２４】
タイマＴでは、電磁コイル２５に電流が流れて接点２６、接点２７が「閉」に動作する。接点２６、接点２７が「閉」に動作すると、電磁リレーＲ０、電磁リレーＲ１に電流が流れる。
【００２５】
電磁リレーＲ０では、電磁コイル２１に電流が流れて接点２２が「開」に動作する。
こうして、接点２２が「開」に動作すると、ＡＣ電源６から制御部５へ電力の供給が停止される。
【００２６】
また、電磁リレーＲ１では、電磁コイル２３に電流が流れて接点２４が「閉」に動作する。
ここで、引き紐１５を離して接点１６が「開」に復帰して引き紐スイッチ１１が「切」となっても、自己保持回路１４（接点２４）を介してタイマＴ、電磁リレーＲ０、電磁リレーＲ１に電流が流れている。
【００２７】
そして、タイマＴでは、ｔ秒経過後、接点２６、接点２７が自動的に「開」に復帰する。接点２６が「開」に復帰すると、電磁リレーＲ１では、電磁コイル２３に電流が流れなくなって接点２４が「開」に復帰して自己保持回路１４が解除される。接点２７が「開」に復帰すると、電磁リレーＲ０では、電磁コイル２１に電流が流れなくなって接点２２が「閉」に復帰する。
こうして、接点２２が「閉」に復帰すると、ＡＣ電源６から制御部５への電力の供給が再開される。
【００２８】
そして、制御部５は、ＡＣ電源６からの電力の供給が停止されてｔ秒後に再開されたことを検知すると、ランプ４の点灯モードを切り替える。例えば、図５に示すように、点灯モードが「全灯」モードである場合は「段調光」モードに切り替わり、「段調光」モードである場合は「保安灯」モードに切り替わり、「保安灯」モードである場合は「全灯」モードに切り替わる。
【００２９】
なお、動作部７の動作を、制御部５に設けたマイクロコンピュータに組み込んだソフトウェアによって置き換えることも可能である。この場合、引き紐スイッチ１１の接点１６は制御部５に直接接続され、引き紐１５を引き操作することで、前記ソフトウェアが制御部５にプルレス操作が行われた旨の信号を発信し、ランプ４の点灯モードを切り替えることができる。
【００３０】
以上のように、本発明に係る照明器具１は、複数の点灯モードを記憶し、ＡＣ電源６からの電力の供給が一時的に停止された時間が所定時間範囲内であることを検知すると、前記点灯モードを切り替える制御部５を器具本体２に備える照明器具１であって、前記器具本体２に備える引き紐１５の操作により、前記所定時間範囲内の設定時間ｔ秒、前記制御部５へのＡＣ電源６からの電力の供給を一時的に停止する動作部７を備えるものである。
【００３１】
このような構成により、器具本体２に備える引き紐１５により照明器具１の近くで点灯モードを切り替えられるため、点灯モードの切替操作が容易である。
【００３２】
そして、前記動作部７は、前記制御部５の入力側に直列接続される通常「閉」の接点２２と、該接点２２を開閉制御する電磁リレーＲ０と、該電磁リレーＲ０を前記設定時間ｔ秒動作させるタイマＴと、該タイマＴを動作させる引き紐スイッチ１１とを備え、前記操作手段は、前記引き紐スイッチ１１を操作する引き紐１５であるものである。
【００３３】
このような構成により、引き紐１５を引く簡単な操作で確実に点灯モードを切り替えられる。
【図面の簡単な説明】
【００３４】
【図１】本発明に係る照明器具の全体図。
【図２】同じく回路図。
【図３】同じくシーケンス図。
【図４】図３のタイムチャート図。
【図５】本発明に係る照明器具の点灯モードを示した図。
【符号の説明】
【００３５】
１    照明器具
２    器具本体
５    制御部
６    ＡＣ電源
７    動作部
１１    引き紐スイッチ
１５    引き紐（操作手段）
２２    接点
Ｒ０    電磁リレー（リレー）
Ｔ    タイマ
ｔ    設定時間
【図１】
2009140807.tif 000003
【図２】
2009140807.tif 000004
【図３】
2009140807.tif 000005
【図４】
2009140807.tif 000006
【図５】
2009140807.tif 000007